(57)【要約】【課題】排気ガスが有する限られた熱量でモノリス触媒１２を効率良く活性にする、特にモノリス触媒１２が低温の排気ガスで冷やされた後の再活性を早める。【解決手段】モノリス触媒１２は軸心を略水平にした状態でケース１１に収容されている。ケース１１には、モノリス触媒１２の上流側の端面に相対し排気ガスをモノリス触媒１２に略水平に流入させる流入口部１３と、流入口部１３に相対しモノリス触媒１２の下流側から排気ガスを略水平に流出させる流出口部１４とが設けられている。流入口部１３及び流出口部１４各々の中心はモノリス触媒１２の軸心に対して下方にオフセットしている。【選択図】図２
2018040369.tif 000002
【特許請求の範囲】
【請求項１】
排気ガス浄化用の触媒コンバータを備えたエンジンの排気装置において、
上記触媒コンバータは、排気ガスの流入口部と流出口部を備えたケースにモノリス触媒がその軸心を略水平にした状態で収容されてなり、
上記ケースの流入口部は、上記モノリス触媒の上流側の端面に相対し、且つ該流入口部の中心が該モノリス触媒の軸心に対して下方にオフセットしていて、排気ガスが上記モノリス触媒に向かって略水平に流入するように設けられ、
上記ケースの流出口部は、上記モノリス触媒の下流側から排気ガスが斜め下方に流出するように設けられ、又は上記モノリス触媒の下流側の端面に相対し、且つ該流出口部の中心が該モノリス触媒の軸心に対して下方にオフセットしていて、排気ガスが上記モノリス触媒の下流側から略水平に流出するように設けられていることを特徴とするエンジンの排気装置。
【請求項２】
請求項１において、
さらに、上記触媒コンバータから流出する排気ガス中の粒子状物質を捕集するフィルタを有する粒子状物質処理装置を備え、
上記触媒コンバータがエンジン本体の側面に沿って配置され、
上記粒子状物質処理装置が上記触媒コンバータの下側において該触媒コンバータの下面および上記エンジン本体の側面に沿うように軸心を略水平にして配置されていることを特徴とするエンジンの排気装置。
【請求項３】
請求項１又は請求項２において、
さらに、排気ターボ過給機を備え、該排気ターボ過給機のタービンハウジングの排気ガス出口部が上記触媒コンバータのケースの流入口部に直結されていることを特徴とするエンジンの排気装置。
【発明の詳細な説明】
【技術分野】
【０００１】
本発明はエンジンの排気装置に関する。
【背景技術】
【０００２】
自動車のエンジンの排気系には排気ガスを浄化するための触媒コンバータが設けられている。特許文献１には、モノリス触媒を略水平に配置し、このモノリス触媒に対して排気ガスをＣ型に湾曲した連絡導管によって斜め上から導入し、このモノリス触媒から排気ガスを斜め下方へ流出させることが記載されている。モノリス触媒に流入する排気ガスの流れを均一にし、排気ガスがモノリス触媒の一部に集中することを防止せんとするものである。
【先行技術文献】
【特許文献】
【０００３】
【特許文献１】特許４３２６１４５号公報
【発明の概要】
【発明が解決しようとする課題】
【０００４】
ところで、最近はエンジンの熱効率の向上により、排気に捨てられるエネルギーが少なくなっており、それに伴って、排気ガス温度が低下する傾向にある。従って、排気ガスから得られる限られた熱量で触媒をいかに効率良く活性化させるかが重要になる。
【０００５】
触媒が活性を呈する温度になった後においても、エンジンの運転状態が低負荷運転に移行したときや燃料カット時には、排気ガス温度が低くなる。その結果、この低温の排気ガスで触媒が冷やされてその活性が低下する。その後、エンジン運転状態が中負荷運転や高負荷運転に移行すると、排気ガス温度が高くなる結果、触媒が加熱されて再び活性を呈するようになる。
【０００６】
上記触媒の活性低下は、エンジン運転状態の変化によって生ずる一時的なものであるが、その間は排気ガスの浄化率が低下する。そのため、触媒の再活性に要する時間が長くなると、それだけ自動車のエミッション性能に悪影響がでる。
【０００７】
以上のことは、ガソリンエンジンおよびディーゼルエンジンのいずれにおいてもいえることであるが、排気ガス温度が元から低いディーゼルエンジンにおいて特に問題になる。
【０００８】
そこで、本発明は、排気ガスが有する限られた熱量で触媒を効率良く活性にすること、特に触媒が低温の排気ガスで冷やされた後の再活性を早めることを課題とする。
【課題を解決するための手段】
【０００９】
本発明は、上記課題を解決するために、排気ガスの主流が略水平に設けられたモノリス触媒の下部側を通るようにし、熱気が上昇する性質をモノリス触媒全体の効率的な活性化に利用するようにした。
【００１０】
ここに提示するエンジンの排気装置は、排気ガス浄化用の触媒コンバータを備え、
上記触媒コンバータは、排気ガスの流入口部と流出口部を備えたケースにモノリス触媒がその軸心を略水平にした状態で収容されてなり、
上記ケースの流入口部は、上記モノリス触媒の上流側の端面に相対し、且つ該流入口部の中心が該モノリス触媒の軸心に対して下方にオフセットしていて、排気ガスが上記モノ
リス触媒に向かって略水平に流入するように設けられ、
上記ケースの流出口部は、上記モノリス触媒の下流側から排気ガスが斜め下方に流出するように設けられ、又は上記モノリス触媒の下流側の端面に相対し、且つ該流出口部の中心が該モノリス触媒の軸心に対して下方にオフセットしていて、排気ガスが上記モノリス触媒の下流側から略水平に流出するように設けられていることを特徴とする。
【００１１】
この排気装置においては、ケースの流入口部がモノリス触媒の上流側の端面に相対し、且つ該流入口部の中心が下方にオフセット（偏倚）しているから、ケースの流出口部が、モノリス触媒の下流側から排気ガスが斜め下方に流出するように設けられている場合、排気ガスの流れが速い主流部分は主としてモノリス触媒の軸心付近から下部寄りの部分を通ることになる。ケースの流出口部がモノリス触媒の下流側の端面に相対し、且つ該流出口部の中心が該モノリス触媒の軸心に対して下方にオフセット（偏倚）している場合も、排気ガスの主流部分は主としてモノリス触媒の軸心付近から下部寄りの部分を通ることになる。
【００１２】
一方、モノリス触媒の上部側を流れる排気ガス流量は下部側に比べると少ないが、エンジンの中負荷・高負荷運転においてはエンジンから排出される排気ガス流量自体が多い。従って、モノリス触媒の上部にも少なくない量の排気ガスが流れるから、モノリス触媒の上部も排気ガスの浄化に有効に利用される。
【００１３】
そうして、上述の如く排気ガスの主流はモノリス触媒の軸心付近から下部寄りを通るから、モノリス触媒の下部側は排気ガスの主流によって加熱される。一方、熱気は上昇するという性質があるため、排気ガスが流入口部からケース内に流入すると、熱気が上方へ流れてモノリス触媒に流入し、また、モノリス触媒の下部からも熱気が上昇する。その結果、モノリス触媒の上部側も上記熱気の上昇によって加熱されることになる。そのため、モノリス触媒全体が効率良く加熱されて触媒の活性化が図れるとともに、その活性が維持される。
【００１４】
すなわち、排気ガスの流入口部の中心がモノリス触媒の軸心に対してオフセットしていない従来装置では、モノリス触媒の軸心まわりは排気ガスの主流で加熱され、モノリス触媒の上部も熱気の上昇によって加熱されるものの、モノリス触媒の下部側は上部に比べて温度が低くなり易いという問題がある。これが本発明によって解決される。
【００１５】
要するに、排気ガスの主流部分がモノリス触媒の軸心付近から下部にわたる部分を通るようにし、熱気の上昇によってモノリス触媒の上部を加熱するようにしたから、排気ガスが保有する限られた熱量がモノリス触媒全体の昇温および温度維持に効率的に利用されるということである。
【００１６】
次にエンジンの運転状態が低負荷運転や燃料カット運転に移行すると、排気ガスの温度が低くなるが、エンジンから排出される排気ガス流量も少なくなる。その温度が低い排気ガスの多くは、モノリス触媒の軸心付近から下部にわたる部分を通り、モノリス触媒の上部側を通る排気ガス量は少ない。
【００１７】
従って、モノリス触媒の軸心付近から下部にわたる部分は低温の排気ガスで冷やされるものの、先に熱気の上昇によって温度が高くなっているモノリス触媒の上部では熱が保有され、温度の低下が少ない。
【００１８】
すなわち、従来装置では、温度が低い排気ガスがモノリス触媒の軸心付近に向かって流入するから、モノリス触媒の上部も低温の排気ガスで冷やされ易いが、本発明では、モノリス触媒の上部に熱が保有され易い。
【００１９】
そのため、その後にエンジン運転状態が中負荷運転や高負荷運転に移行して高温の排気ガスがモノリス触媒に流入したときには、モノリス触媒の上部によって奪われる熱量が少ないから、モノリス触媒の下部側の温度が速やかに上昇して、モノリス触媒全体が早期に再活性化する。よって、エミッション性能の悪化が避けられる。
【００２０】
本発明の好ましい態様では、さらに、上記触媒コンバータから流出する排気ガス中の粒子状物質を捕集するフィルタを有する粒子状物質処理装置を備え、
上記触媒コンバータがエンジン本体の側面に沿って配置され、
上記粒子状物質処理装置が上記触媒コンバータの下側において該触媒コンバータの下面および上記エンジン本体の側面に沿うように軸心を略水平にして配置されている。
【００２１】
これによれば、触媒コンバータおよび粒子状物質処理装置をエンジン本体の側面にコンパクトにまとめて配置することができるとともに、エンジン本体、触媒コンバータおよび粒子状物質処理装置の三者が互いの放熱を妨げる関係になり、熱損失の低減に有利になる。
【００２２】
本発明の別の好ましい態様では、さらに、排気ターボ過給機を備え、該排気ターボ過給機のタービンハウジングの排気ガス出口部が上記触媒コンバータのケースの流入口部に直結されている。
【００２３】
これによれば、エンジンの中負荷ないしは高負荷運転時に排気ターボ過給機が作動すると、排気ガスがタービンの回転により旋回流となって触媒コンバータのケース内に流入する。よって、上述の如く、流入口部のオフセット配置を採用しても、排気ガスがモノリス触媒全体に分散し易くなり、モノリス触媒の上部が排気ガスの浄化に有効に利用されることになる。
【００２４】
一方、排気ターボ過給機が作動しないエンジンの低負荷運転時や燃料カット時には、排気ガスは旋回流とならないため、モノリス触媒の下部側を主として流れる。よって、モノリス触媒の上部側が低温の排気ガスによって冷やされることが避けられる。
【発明の効果】
【００２５】
上述の如く、本発明によれば、排気ガスの主流部分がモノリス触媒の軸心付近から下部にわたる部分を通るようにし、熱気の上昇によってモノリス触媒の上部を加熱するようにしたから、排気ガスが保有する限られた熱量をモノリス触媒全体の昇温および温度維持に効率的に利用することができる。また、燃料カット時等の排気ガス温度が低く排気ガス流量が少ないときには、モノリス触媒の上部に熱気が保有され該上部の温度低下を抑制されるから、その後に高温の排気ガスがモノリス触媒に流入するようになったときに、モノリス触媒の上部によって奪われる熱が少なくなる。その結果、モノリス触媒全体が早期に活性温度に達することになり、上記排気ガス温度の低下に伴うエミッション性能の悪化が軽減される。
【図面の簡単な説明】
【００２６】
【図１】エンジンの排気装置を示す斜視図である。
【図２】同排気装置を一部縦断面で示す側面図である。
【図３】同排気装置の触媒コンバータを示す正面図である。
【図４】粒子状物質処理装置、ＥＧＲクーラ及びＥＧＲバルブを示す分解斜視図である。
【図５】触媒コンバータの他の例を示す概略縦断面図である。
【発明を実施するための形態】
【００２７】
以下、本発明を実施するための形態を図面に基づいて説明する。以下の好ましい実施形態の説明は、本質的に例示に過ぎず、本発明、その適用物或いはその用途を制限することを意図するものではない。
【００２８】
図１において、１は自動車のエンジンルームに設けられるディーゼルエンジンのエンジン本体である。本実施形態ではエンジン本体１はクランクシャフトが車幅方向に延びる横置きにされ、エンジン本体１の側面（この場合は背面）に排気ターボ過給機２、触媒コンバータ３、粒子状物質処理装置４、ＥＧＲクーラー５およびＥＧＲバルブ６が配置されている。
【００２９】
本例の触媒コンバータ３は排気ガス中のＨＣおよびＣＯを酸化浄化する酸化触媒である。粒子状物質処理装置４は、排気ガス中の粒子状物質を捕集して燃焼除去する、所謂ＤＰＦ（ディーゼルパティキュレートフィルタ）である。ＥＧＲクーラー５は吸気系に還流させる排気ガスを冷却する。ＥＧＲバルブ６は吸気系へのＥＧＲ量（排気ガス還流量）を調節する。
【００３０】
ターボ過給機２および触媒コンバータ３は、各々の軸心が略水平にされ、すなわち軸心が横にされ、エンジン本体１の上部の側面に沿ってエンジン本体１の長手方向（車幅方向）に連ねて配置されている。粒子状物質処理装置４は、触媒コンバータ３の下側において該触媒コンバータ３の下面およびエンジン本体１の側面に沿うように軸心が略水平にされて配置されている。触媒コンバータ３は粒子状物質処理装置４に湾曲した連結管７によって連結されている。
【００３１】
このような触媒コンバータ３および粒子状物質処理装置４のレイアウトによれば、触媒コンバータ３および粒子状物質処理装置４をエンジン本体１の側面にコンパクトにまとめて配置することができる。しかも、エンジン本体１、触媒コンバータ３および粒子状物質処理装置４の三者が互いの放熱を妨げる関係になり、熱損失の低減に有利になる。
【００３２】
粒子状物質処理装置４には車室床下に配置されるフレキシブルチューブ８を介して自動車後方に延びる排気管９が接続されている。図示は省略しているが、排気管９は排気サイレンサを介してテールパイプに続いている。図１において、２６は粒子状物質処理装置４の入口ガス温度を検出する温度センサ、２７は粒子状物質処理装置４の入口側のガス圧を検出する圧力センサ（図示せず）の圧力取出し部である。
【００３３】
図２に示すように、触媒コンバータ３は、ケース１１にモノリス触媒１２を略水平にした状態で収容してなる。ケース１１は、モノリス触媒１２を収容するケース本体１１ａと、モノリス触媒１２の上流側の端面を覆うコーン状の上流側カバー１１ｂと、モノリス触媒１２の下流側の端面を覆うコーン状の下流側カバー１１ｃとを備えてなる。上流側カバー１１ｂには、モノリス触媒１２の上流側の端面に相対し、排気ガスをモノリス触媒１２に向かって略水平に（横方向に）流入させる流入口部１３が設けられている。また、下流側カバー１１ｃには、モノリス触媒１２を挟んで流入口部１３に相対し（モノリス触媒１２の下流側の端面に相対し）、モノリス触媒１２の下流側から排気ガスを略水平に（横方向に）流出させる流出口部１４が設けられている。
【００３４】
ケース１１の流入口部１３には、排気ターボ過給機２のタービンハウジング１５の排気ガス出口部１６が直結されている。ケース１１の流出口部１４には、連結管７の上流端が結合している。また、上流側カバー１１ｂの流入口部１３からケース本体１１ａに至るコーン壁部の上半周側に触媒コンバータ３の入口ガス温度を検出する温度センサ１７が取付けられている。
【００３５】
上記ケース１１の流入口部１３および流出口部１４は、各々の口径がモノリス触媒１２の直径よも小さく、流入口部１３の中心Ｃｉおよび流出口部１４の中心Ｃｏはモノリス触媒１２の軸心Ｃｃに対して下方にオフセットしている。流入口部１３の中心Ｃｉのモノリス触媒１２の軸心Ｃｃに対するオフセット量Ｄ１、並びに流出口部１４の中心Ｃｏのモノリス触媒１２の軸心Ｃｃに対するオフセット量Ｄ２はいずれも、モノリス触媒１２の半径の１／４以上１／２以下であることが好ましい。
【００３６】
図３に示すように、流入口部１３および流出口部１４は、各々の開口面積の２／３以上がモノリス触媒１２の上流側及び下流側各々の下半周側の端面に相対するように配置されていることが好ましい。さらに、好ましいのは、上記オフセット量Ｄ１，Ｄ２を１／２以下とし、流入口部１３および流出口部１４各々の開口面積の２／３以上がモノリス触媒１２の上流側及び下流側各々の下半周側の端面に相対するようにすることである。
【００３７】
図３の例では、流入口部１３の開口面積の殆どがモノリス触媒１２の上流側の下半周側の端面に相対し、流出口部１４の開口面積の少なくとも５／６がモノリス触媒１２の下流側の下半周側の端面に相対している。
【００３８】
図２に示すように、粒子状物質処理装置４は、ケース１８に排気ガス中の粒子状物質を捕集するモノリスフィルタ１９を収容してなる。フィルタ１９には、該フィルタ１９に堆積した粒子状物質を燃焼除去するための触媒がコーティングされている。ケース１８は、フィルタ１９を収容するケース本体１８ａと、フィルタ１９の上流側の端面を覆う上流側カバー１８ｂと、フィルタ１９の下流側の端面を覆う下流側カバー１８ｃとを備えてなる。上流側カバー１８ｂに連結管７の下流端が結合している。
【００３９】
図４に示すように、粒子状物質処理装置４の下流側カバー１８ｃは、扁平になっていて、粒子状物質処理装置４の後方に向かって突出しており、その先端に排気ガスをテールパイプに導く図２に示す排気ガス排出口２１が開口している。そして、下流側カバー１８ｃにおけるフィルタ１９の軸心Ｃｆから前方（該軸心Ｃｆを挟んで排気ガス排出口２１の反対側）にオフセットした位置に、排気ガスをＥＧＲクーラ５に導く図４に示すＥＧＲ用の排気ガス取出口２２が開口している。
【００４０】
ＥＧＲクーラ５は、一連に接続したＥＧＲ用のガス導入部５ａ、クーラ本体部５ｂおよびＥＧＲ用のガス流出部５ｃを備えてなる。ＥＧＲクーラ５は水冷であり、クーラ本体部５ｂに冷却水供給管２３と冷却水排出管２４が接続されている。そうして、ガス導入部５ａが下流側カバー１８ｃの排気ガス取出口２２に接続されて、ＥＧＲクーラ５は、扁平な下流側カバー１８ｃに沿うように、フィルタ１９の軸心Ｃｆを挟んで排気ガス取出口２２の反対側、つまり、後方へ延びている。
【００４１】
このＥＧＲクーラ５の後端のガス流出部５ｃにＥＧＲ用ガスの流出口２５が側方（粒子状物質処理装置４の反対側）に向かって開口し、該流出口２５にＥＧＲバルブ６が接続されている。
【００４２】
以上により、粒子状物質処理装置４、ＥＧＲクーラ５およびＥＧＲバルブ６は、エンジン本体１の側面（背面）に沿って該エンジン本体１の長手方向に配列されている。
【００４３】
上記エンジンの排気装置によれば、排気ガスは触媒コンバータ３のケース１１の流入口部１３からモノリス触媒１２に向かって略水平に流入する。この流入口部１３の中心Ｃｉはモノリス触媒１２の軸心Ｃｃに対して下方にオフセットし、且つ流出口部１４の中心Ｃｏもモノリス触媒１２の軸心Ｃｃに対して下方にオフセットしているから、排気ガスの流
れが速い主流部分はモノリス触媒１２の軸心Ｃｃ付近から下部にわたる部分を通る。
【００４４】
一方、モノリス触媒１２の上部を流れる排気ガス量は下部に比べると少ないが、エンジンの中負荷・高負荷運転においてはエンジンから排出される排気ガス量自体が多い。しかも、排気ターボ過給機２のタービンハウジング１５がケース１１の流入口部１３に直結されているから、排気ターボ過給機２が作動すると、排気ガスがタービンの回転により旋回流となってケース１１内に流入する。よって、ケース１１の流入口部１３を上述の如くオフセット配置していても、排気ガスがモノリス触媒１２の全体に分散し易くなる。つまり、モノリス触媒１２の上部にも少なくない量の排気ガスが流れるから、このモノリス触媒１２の上部も排気ガスの浄化に有効に利用される。
【００４５】
そうして、上述の如く排気ガスの主流はモノリス触媒の軸心付近から下部寄りを通るから、モノリス触媒１２の下部側は排気ガスの主流によって加熱される。一方、熱気は上昇するという性質があるため、排気ガスが流入口部１３からケース１１に流入すると、熱気が上方へ流れてモノリス触媒１２に流入し、また、モノリス触媒１２の下部からも熱気が上昇する。その結果、モノリス触媒１２の上部側も上記熱気の上昇によって加熱されることになる。そのため、モノリス触媒全体が効率良く加熱されて触媒の活性化が図れるとともに、その活性が維持される。
【００４６】
要するに、排気ガスの主流がモノリス触媒１２の軸心付近から下部にわたる部分を通るようにし、熱気の上昇によってモノリス触媒１２の上部を加熱するようにしたから、排気ガスが保有する限られた熱量がモノリス触媒１２全体の昇温および温度維持に効率的に利用されることになる。
【００４７】
エンジンの運転状態が低負荷運転や燃料カット運転に移行すると、排気ガスの温度が低くなるが、エンジンから排出される排気ガス流量も少なくなる。また、排気ターボ過給機２が作動しないエンジンの低負荷運転時や燃料カット時には、触媒コンバータ３に流入する排気ガスは旋回流とならない。そのため、温度が低い排気ガスの多くは、モノリス触媒１２の軸心付近から下部にわたる部分を通り、モノリス触媒１２の上部側を通る排気ガス量は少ない。
【００４８】
従って、モノリス触媒１２の下部側は低温の排気ガスで冷やされるものの、上部側が低温の排気ガスによって冷やされることが避けられる。よって、先に熱気の上昇によって温度が高くなっているモノリス触媒１２の上部では熱が保有され、温度の低下が少ない。
【００４９】
そのため、その後にエンジン運転状態が中負荷運転や高負荷運転に移行して高温の排気ガスがモノリス触媒１２に流入したときには、モノリス触媒１２の上部によって奪われる熱量が少ないから、モノリス触媒１２の下部側の温度が速やかに上昇してモノリス触媒１２の全体が活性を呈する状態になり易い。よって、エミッション性能の悪化が避けられる。
【００５０】
また、上述の如くケース１１の流入口部１３の中心Ｃｉをモノリス触媒１２の軸心Ｃｃに対して下方にオフセットさせたことにより、ケース１１の上流側カバー１１ｂは、その下半周側に比べて上半周側のコーン壁の、流入口部１３からケース本体１１ａに至る距離が長くなっている。従って、この上半周側のコーン壁に対する温度センサ１７のレイアウトが容易になる。
【００５１】
図５は別の実施形態を示す。図２に示す実施形態では触媒コンバータ３の流入口部１３と流出口部１４がモノリス触媒１２を挟んで相対しているが、図５では流入口部１３と流出口部１４が相対しない構造になっている。
【００５２】
まず、ケース１１の上流側カバー１１ｂは、図２に示す実施形態と同じく、モノリス触媒１２の上流側の端面に相対して排気ガスをモノリス触媒１２に向かって略水平に流入させる流入口部１３を備えている。流入口部１３の中心Ｃｉはモノリス触媒１２の軸心Ｃｃに対して下方にオフセットしている。そのオフセット量Ｄ１はモノリス触媒１２の半径の１／４以上１／２以下であることが好ましい。そして、この流入口部１３から湾曲して立ち上がった上流側の管部に上流側排気管又は排気ターボ過給機のタービンハウジングが結合されている。
【００５３】
一方、ケース１１の下流側カバー１１ｃは、モノリス触媒１２を収容するケース本体１１ａから斜め下方に延びており、その先端にモノリス触媒１２の下流側から排気ガスを斜め下方に流出させる流出口部１４が下向きに開口している。そして、この流出口部１４に連結管７によって粒子状物質処理装置（図示省略）が接続されている。
【００５４】
図５に示す実施形態においても、ケース１１の流出口部１４はモノリス触媒１２の下流側から排気ガスを斜め下方に流出させるから、流入口部１３から流入する排気ガスの主流はモノリス触媒１２の軸心付近から下部にわたる部分を通ることになる。
【００５５】
よって、エンジンの中負荷・高負荷運転時には、モノリス触媒１２の下部側は排気ガスの主流によって加熱され、上部側は熱気の上昇によって加熱されるため、排気ガスが保有する限られた熱量がモノリス触媒１２全体の昇温および温度維持に効率的に利用されることになる。
【００５６】
また、エンジンの運転状態が低負荷運転や燃料カット運転に移行したときは、モノリス触媒１２の下部側は低温の排気ガスで冷やされるものの、先に熱気の上昇によって温度が高くなっているモノリス触媒１２の上部側では熱が保有され、温度の低下が少なくなる。そのため、その後に高温の排気ガスがモノリス触媒１２に流入したときには、モノリス触媒１２の上部によって奪われる熱量が少ないから、モノリス触媒１２全体が速やかに活性温度まで上昇することになる。
【符号の説明】
【００５７】
１    エンジン本体
２    排気ターボ過給機
３    触媒コンバータ
４    粒子状物質処理装置
５    ＥＧＲクーラー
６    ＥＧＲバルブ
７    連結管
１１    ケース
１２    モノリス触媒
１３    流入口部
１４    流出口部
１５    タービンハウジング
１６    排気ガス出口部
１９    フィルタ
【図１】
2018040369.tif 000003
【図２】
2018040369.tif 000004
【図３】
2018040369.tif 000005
【図４】
2018040369.tif 000006
【図５】
2018040369.tif 000007
【手続補正書】
【提出日】平成29年12月28日(2017.12.28)
【手続補正１】
【補正対象書類名】明細書
【補正対象項目名】全文
【補正方法】変更
【補正の内容】
【発明の詳細な説明】
【技術分野】
【０００１】
本発明はエンジンの排気装置に関する。
【背景技術】
【０００２】
自動車のエンジンの排気系には排気ガスを浄化するための触媒コンバータが設けられている。特許文献１には、モノリス触媒を略水平に配置し、このモノリス触媒に対して排気ガスをＣ型に湾曲した連絡導管によって斜め上から導入し、このモノリス触媒から排気ガスを斜め下方へ流出させることが記載されている。モノリス触媒に流入する排気ガスの流れを均一にし、排気ガスがモノリス触媒の一部に集中することを防止せんとするものである。
【先行技術文献】
【特許文献】
【０００３】
【特許文献１】特許４３２６１４５号公報
【発明の概要】
【発明が解決しようとする課題】
【０００４】
ところで、最近はエンジンの熱効率の向上により、排気に捨てられるエネルギーが少なくなっており、それに伴って、排気ガス温度が低下する傾向にある。従って、排気ガスから得られる限られた熱量で触媒をいかに効率良く活性化させるかが重要になる。
【０００５】
触媒が活性を呈する温度になった後においても、エンジンの運転状態が低負荷運転に移行したときや燃料カット時には、排気ガス温度が低くなる。その結果、この低温の排気ガスで触媒が冷やされてその活性が低下する。その後、エンジン運転状態が中負荷運転や高負荷運転に移行すると、排気ガス温度が高くなる結果、触媒が加熱されて再び活性を呈するようになる。
【０００６】
上記触媒の活性低下は、エンジン運転状態の変化によって生ずる一時的なものであるが、その間は排気ガスの浄化率が低下する。そのため、触媒の再活性に要する時間が長くなると、それだけ自動車のエミッション性能に悪影響がでる。
【０００７】
以上のことは、ガソリンエンジンおよびディーゼルエンジンのいずれにおいてもいえることであるが、排気ガス温度が元から低いディーゼルエンジンにおいて特に問題になる。
【０００８】
そこで、本発明は、排気ガスが有する限られた熱量で触媒を効率良く活性にすることを課題とする。
【課題を解決するための手段】
【０００９】
本発明は、上記課題を解決するために、触媒コンバータおよび粒子状物質処理装置をエンジン本体の側面にコンパクトにまとめて配置するようにした。
【００１０】
ここに提示するエンジンの排気装置は、排気ガス浄化用の触媒コンバータを備え、
さらに、上記触媒コンバータから流出する排気ガス中の粒子状物質を捕集するフィルタを有する粒子状物質処理装置を備え、
上記触媒コンバータがエンジン本体の側面に沿って配置され、
上記粒子状物質処理装置が上記触媒コンバータの下側において該触媒コンバータおよび上記エンジン本体に沿うように配置され、
さらに、吸気系に還流させる排気ガスを冷却するＥＧＲクーラと、吸気系への排気ガス還流量を調節するＥＧＲバルブとを備え、
上記粒子状物質処理装置の下流側に、排気ガスをＥＧＲクーラに導くＥＧＲ用の排気ガス取出口が開口し、
上記ＥＧＲバルブは、上記ＥＧＲクーラのＥＧＲ用ガスの流出口側に接続されて、上記粒子状物質処理装置の上記エンジン本体側の端部よりも上記エンジン本体の側面から離れた位置に設けられていることを特徴とする。
【００１１】
この排気装置によれば、触媒コンバータおよび粒子状物質処理装置をエンジン本体の側面にコンパクトにまとめて配置することができるとともに、エンジン本体、触媒コンバータおよび粒子状物質処理装置の三者が互いの放熱を妨げる関係になり、熱損失の低減に有利になる。よって、排気ガスが有する限られた熱量で触媒を効率良く活性にする上で有利になる。
【００１２】
本発明の好ましい態様では、上記触媒コンバータは、軸心が横にされた排気ガス浄化用の触媒と、該触媒に排気ガスを流入させる、口径が該触媒の直径よりも小さい流入口部とを備え、
上記エンジン本体の側面視において、上記流入口部と上記触媒の上流側の端面が横方向に相対し、且つ該流入口部の中心が該触媒の軸心に対して下方に偏倚している。
【００１３】
この態様においては、触媒コンバータの流入口部が触媒の上流側の端面に相対し、且つ該流入口部の中心が下方に偏倚しているから、排気ガスの流れが速い主流部分は主として触媒の軸心付近から下部寄りの部分を通ることになる。
【００１４】
一方、触媒の上部側を流れる排気ガス流量は下部側に比べると少ないが、エンジンの中負荷・高負荷運転においてはエンジンから排出される排気ガス流量自体が多い。従って、触媒の上部にも少なくない量の排気ガスが流れるから、触媒の上部も排気ガスの浄化に有効に利用される。
【００１５】
そうして、上述の如く排気ガスの主流は触媒の軸心付近から下部寄りを通るから、触媒の下部側は排気ガスの主流によって加熱される。一方、熱気は上昇するという性質があるため、排気ガスが流入口部から触媒コンバータ内に流入すると、熱気が上方へ流れて触媒に流入し、また、触媒の下部からも熱気が上昇する。その結果、触媒の上部側も上記熱気の上昇によって加熱されることになる。そのため、触媒全体が効率良く加熱されて触媒の活性化が図れるとともに、その活性が維持される。
【００１６】
すなわち、排気ガスの流入口部の中心が触媒の軸心に対して偏倚していない従来装置では、触媒の軸心まわりは排気ガスの主流で加熱され、触媒の上部も熱気の上昇によって加熱されるものの、触媒の下部側は上部に比べて温度が低くなり易いという問題がある。これが当該態様によって解決される。
【００１７】
要するに、排気ガスの主流部分が触媒の軸心付近から下部にわたる部分を通るようにし、熱気の上昇によって触媒の上部を加熱するようにしたから、排気ガスが保有する限られた熱量が触媒全体の昇温および温度維持に効率的に利用されるということである。
【００１８】
次にエンジンの運転状態が低負荷運転や燃料カット運転に移行すると、排気ガスの温度が低くなるが、エンジンから排出される排気ガス流量も少なくなる。その温度が低い排気ガスの多くは、触媒の軸心付近から下部にわたる部分を通り、触媒の上部側を通る排気ガス量は少ない。
【００１９】
従って、触媒の軸心付近から下部にわたる部分は低温の排気ガスで冷やされるものの、先に熱気の上昇によって温度が高くなっている触媒の上部では熱が保有され、温度の低下が少ない。
【００２０】
すなわち、従来装置では、温度が低い排気ガスが触媒の軸心付近に向かって流入するから、触媒の上部も低温の排気ガスで冷やされ易いが、当該態様では、触媒の上部に熱が保有され易い。
【００２１】
そのため、その後にエンジン運転状態が中負荷運転や高負荷運転に移行して高温の排気ガスが触媒に流入したときには、触媒の上部によって奪われる熱量が少ないから、触媒の下部側の温度が速やかに上昇して、触媒全体が早期に再活性化する。よって、エミッション性能の悪化が避けられる。
【００２２】
本発明の別の好ましい態様では、上記触媒コンバータの排気ガスの流出口部は、上記触媒の下流側から排気ガスが斜め下方に流出するように設けられ、又は上記触媒の下流側の端面に相対し、且つ該流出口部の中心が該触媒の軸心に対して下方に偏倚していて、排気ガスが上記触媒の下流側から横方向に流出するように設けられている。
【００２３】
触媒コンバータの流出口部が、触媒の下流側から排気ガスが斜め下方に流出するように設けられている場合、排気ガスの流れが速い主流部分は主として触媒の軸心付近から下部寄りの部分を通ることになる。触媒コンバータの流出口部が触媒の下流側の端面に相対し、且つ該流出口部の中心が該触媒の軸心に対して下方に偏倚している場合も、排気ガスの主流部分は主として触媒の軸心付近から下部寄りの部分を通ることになる。
【００２４】
本発明の別の好ましい態様では、上記ＥＧＲクーラは、一連に接続したＥＧＲ用のガス導入部、クーラ本体部およびＥＧＲ用のガス流出部を備え、上記ガス導入部が上記粒子状物質処理装置のＥＧＲ用の排気ガス取出口に接続されている。
【００２５】
本発明の別の好ましい態様では、上記ＥＧＲバルブは上記ＥＧＲクーラのＥＧＲ用ガスの流出口に直結されている。
【発明の効果】
【００２６】
上述の如く、本発明によれば、触媒コンバータがエンジン本体の側面に沿って配置され、粒子状物質処理装置が触媒コンバータの下側において該触媒コンバータおよびエンジン本体に沿うように配置され、粒子状物質処理装置の下流側に排気ガスをＥＧＲクーラに導くＥＧＲ用の排気ガス取出口が開口し、ＥＧＲバルブはＥＧＲクーラのＥＧＲ用の排気ガス流出口側に接続されて、粒子状物質処理装置のエンジン本体側の端部よりもエンジン本体の側面から離れた位置に設けられているから、触媒コンバータおよび粒子状物質処理装置をエンジン本体の側面にコンパクトにまとめて配置することができるとともに、エンジン本体、触媒コンバータおよび粒子状物質処理装置の三者が互いの放熱を妨げる関係になり、熱損失の低減に有利になる。よって、排気ガスが有する限られた熱量で触媒を効率良く活性にする上で有利になる。
【図面の簡単な説明】
【００２７】
【図１】エンジンの排気装置を示す斜視図である。
【図２】同排気装置を一部縦断面で示す側面図である。
【図３】同排気装置の触媒コンバータを示す正面図である。
【図４】粒子状物質処理装置、ＥＧＲクーラ及びＥＧＲバルブを示す分解斜視図である。
【図５】触媒コンバータの他の例を示す概略縦断面図である。
【発明を実施するための形態】
【００２８】
以下、本発明を実施するための形態を図面に基づいて説明する。以下の好ましい実施形態の説明は、本質的に例示に過ぎず、本発明、その適用物或いはその用途を制限することを意図するものではない。
【００２９】
図１において、１は自動車のエンジンルームに設けられるディーゼルエンジンのエンジン本体である。本実施形態ではエンジン本体１はクランクシャフトが車幅方向に延びる横置きにされ、エンジン本体１の側面（この場合は背面）に排気ターボ過給機２、触媒コンバータ３、粒子状物質処理装置４、ＥＧＲクーラ５およびＥＧＲバルブ６が配置されている。
【００３０】
本例の触媒コンバータ３は排気ガス中のＨＣおよびＣＯを酸化浄化する酸化触媒である。粒子状物質処理装置４は、排気ガス中の粒子状物質を捕集して燃焼除去する、所謂ＤＰＦ（ディーゼルパティキュレートフィルタ）である。ＥＧＲクーラ５は吸気系に還流させる排気ガスを冷却する。ＥＧＲバルブ６は吸気系へのＥＧＲ量（排気ガス還流量）を調節する。
【００３１】
ターボ過給機２および触媒コンバータ３は、各々の軸心が略水平にされ、すなわち軸心が横にされ、エンジン本体１の上部の側面に沿ってエンジン本体１の長手方向（車幅方向）に連ねて配置されている。粒子状物質処理装置４は、触媒コンバータ３の下側において該触媒コンバータ３の下面およびエンジン本体１の側面に沿うように軸心が略水平にされて配置されている。触媒コンバータ３は粒子状物質処理装置４に湾曲した連結管７によって連結されている。
【００３２】
このような触媒コンバータ３および粒子状物質処理装置４のレイアウトによれば、触媒コンバータ３および粒子状物質処理装置４をエンジン本体１の側面にコンパクトにまとめて配置することができる。しかも、エンジン本体１、触媒コンバータ３および粒子状物質処理装置４の三者が互いの放熱を妨げる関係になり、熱損失の低減に有利になる。
【００３３】
粒子状物質処理装置４には車室床下に配置されるフレキシブルチューブ８を介して自動車後方に延びる排気管９が接続されている。図示は省略しているが、排気管９は排気サイレンサを介してテールパイプに続いている。図１において、２６は粒子状物質処理装置４の入口ガス温度を検出する温度センサ、２７は粒子状物質処理装置４の入口側のガス圧を検出する圧力センサ（図示せず）の圧力取出し部である。
【００３４】
図２に示すように、触媒コンバータ３は、ケース１１にモノリス触媒１２を略水平にした状態で収容してなる。ケース１１は、モノリス触媒１２を収容するケース本体１１ａと、モノリス触媒１２の上流側の端面を覆うコーン状の上流側カバー１１ｂと、モノリス触媒１２の下流側の端面を覆うコーン状の下流側カバー１１ｃとを備えてなる。上流側カバー１１ｂには、エンジン本体１の側面視において、モノリス触媒１２の上流側の端面に相対し、排気ガスをモノリス触媒１２に向かって略水平に（横方向に）流入させる流入口部１３が設けられている。また、下流側カバー１１ｃには、モノリス触媒１２を挟んで流入口部１３に相対し（モノリス触媒１２の下流側の端面に相対し）、モノリス触媒１２の下流側から排気ガスを略水平に（横方向に）流出させる流出口部１４が設けられている。
【００３５】
ケース１１の流入口部１３には、排気ターボ過給機２のタービンハウジング１５の排気ガス出口部１６が直結されている。ケース１１の流出口部１４には、連結管７の上流端が結合している。また、上流側カバー１１ｂの流入口部１３からケース本体１１ａに至るコーン壁部の上半周側に触媒コンバータ３の入口ガス温度を検出する温度センサ１７が取付けられている。
【００３６】
上記ケース１１の流入口部１３および流出口部１４は、各々の口径がモノリス触媒１２の直径よも小さく、流入口部１３の中心Ｃｉおよび流出口部１４の中心Ｃｏはモノリス触媒１２の軸心Ｃｃに対して下方にオフセットしている。流入口部１３の中心Ｃｉのモノリス触媒１２の軸心Ｃｃに対するオフセット量Ｄ１、並びに流出口部１４の中心Ｃｏのモノリス触媒１２の軸心Ｃｃに対するオフセット量Ｄ２はいずれも、モノリス触媒１２の半径の１／４以上１／２以下であることが好ましい。
【００３７】
図３に示すように、流入口部１３および流出口部１４は、各々の開口面積の２／３以上がモノリス触媒１２の上流側及び下流側各々の下半周側の端面に相対するように配置されていることが好ましい。さらに、好ましいのは、上記オフセット量Ｄ１，Ｄ２を１／２以下とし、流入口部１３および流出口部１４各々の開口面積の２／３以上がモノリス触媒１２の上流側及び下流側各々の下半周側の端面に相対するようにすることである。
【００３８】
図３の例では、流入口部１３の開口面積の殆どがモノリス触媒１２の上流側の下半周側の端面に相対し、流出口部１４の開口面積の少なくとも５／６がモノリス触媒１２の下流側の下半周側の端面に相対している。
【００３９】
図２に示すように、粒子状物質処理装置４は、ケース１８に排気ガス中の粒子状物質を捕集するモノリスフィルタ１９を収容してなる。フィルタ１９には、該フィルタ１９に堆積した粒子状物質を燃焼除去するための触媒がコーティングされている。ケース１８は、フィルタ１９を収容するケース本体１８ａと、フィルタ１９の上流側の端面を覆う上流側カバー１８ｂと、フィルタ１９の下流側の端面を覆う下流側カバー１８ｃとを備えてなる。上流側カバー１８ｂに連結管７の下流端が結合している。
【００４０】
図４に示すように、粒子状物質処理装置４の下流側カバー１８ｃは、扁平になっていて、粒子状物質処理装置４の後方に向かって突出しており、その先端に排気ガスをテールパイプに導く図２に示す排気ガス排出口２１が開口している。そして、下流側カバー１８ｃにおけるフィルタ１９の軸心Ｃｆから前方（該軸心Ｃｆを挟んで排気ガス排出口２１の反対側）にオフセットした位置に、排気ガスをＥＧＲクーラ５に導く図４に示すＥＧＲ用の排気ガス取出口２２が開口している。
【００４１】
ＥＧＲクーラ５は、一連に接続したＥＧＲ用のガス導入部５ａ、クーラ本体部５ｂおよびＥＧＲ用のガス流出部５ｃを備えてなる。ＥＧＲクーラ５は水冷であり、クーラ本体部５ｂに冷却水供給管２３と冷却水排出管２４が接続されている。そうして、ガス導入部５ａが下流側カバー１８ｃの排気ガス取出口２２に接続されて、ＥＧＲクーラ５は、扁平な下流側カバー１８ｃに沿うように、フィルタ１９の軸心Ｃｆを挟んで排気ガス取出口２２の反対側、つまり、後方へ延びている。
【００４２】
このＥＧＲクーラ５の後端のガス流出部５ｃにＥＧＲ用ガスの流出口２５が側方（粒子状物質処理装置４の反対側）に向かって開口し、該流出口２５にＥＧＲバルブ６が接続（直結）されて、ＥＧＲバルブ６が粒子状物質処理装置４のエンジン本体側の端部よりもエンジン本体１の側面から離れた位置に設けられている。
【００４３】
以上により、粒子状物質処理装置４、ＥＧＲクーラ５およびＥＧＲバルブ６は、エンジン本体１の側面（背面）に沿って該エンジン本体１の長手方向に配列されている。
【００４４】
上記エンジンの排気装置によれば、排気ガスは触媒コンバータ３のケース１１の流入口部１３からモノリス触媒１２に向かって略水平に流入する。この流入口部１３の中心Ｃｉはモノリス触媒１２の軸心Ｃｃに対して下方にオフセットし、且つ流出口部１４の中心Ｃｏもモノリス触媒１２の軸心Ｃｃに対して下方にオフセットしているから、排気ガスの流
れが速い主流部分はモノリス触媒１２の軸心Ｃｃ付近から下部にわたる部分を通る。
【００４５】
一方、モノリス触媒１２の上部を流れる排気ガス量は下部に比べると少ないが、エンジンの中負荷・高負荷運転においてはエンジンから排出される排気ガス量自体が多い。しかも、排気ターボ過給機２のタービンハウジング１５がケース１１の流入口部１３に直結されているから、排気ターボ過給機２が作動すると、排気ガスがタービンの回転により旋回流となってケース１１内に流入する。よって、ケース１１の流入口部１３を上述の如くオフセット配置していても、排気ガスがモノリス触媒１２の全体に分散し易くなる。つまり、モノリス触媒１２の上部にも少なくない量の排気ガスが流れるから、このモノリス触媒１２の上部も排気ガスの浄化に有効に利用される。
【００４６】
そうして、上述の如く排気ガスの主流はモノリス触媒の軸心付近から下部寄りを通るから、モノリス触媒１２の下部側は排気ガスの主流によって加熱される。一方、熱気は上昇するという性質があるため、排気ガスが流入口部１３からケース１１に流入すると、熱気が上方へ流れてモノリス触媒１２に流入し、また、モノリス触媒１２の下部からも熱気が上昇する。その結果、モノリス触媒１２の上部側も上記熱気の上昇によって加熱されることになる。そのため、モノリス触媒全体が効率良く加熱されて触媒の活性化が図れるとともに、その活性が維持される。
【００４７】
要するに、排気ガスの主流がモノリス触媒１２の軸心付近から下部にわたる部分を通るようにし、熱気の上昇によってモノリス触媒１２の上部を加熱するようにしたから、排気ガスが保有する限られた熱量がモノリス触媒１２全体の昇温および温度維持に効率的に利用されることになる。
【００４８】
エンジンの運転状態が低負荷運転や燃料カット運転に移行すると、排気ガスの温度が低くなるが、エンジンから排出される排気ガス流量も少なくなる。また、排気ターボ過給機２が作動しないエンジンの低負荷運転時や燃料カット時には、触媒コンバータ３に流入する排気ガスは旋回流とならない。そのため、温度が低い排気ガスの多くは、モノリス触媒１２の軸心付近から下部にわたる部分を通り、モノリス触媒１２の上部側を通る排気ガス量は少ない。
【００４９】
従って、モノリス触媒１２の下部側は低温の排気ガスで冷やされるものの、上部側が低温の排気ガスによって冷やされることが避けられる。よって、先に熱気の上昇によって温度が高くなっているモノリス触媒１２の上部では熱が保有され、温度の低下が少ない。
【００５０】
そのため、その後にエンジン運転状態が中負荷運転や高負荷運転に移行して高温の排気ガスがモノリス触媒１２に流入したときには、モノリス触媒１２の上部によって奪われる熱量が少ないから、モノリス触媒１２の下部側の温度が速やかに上昇してモノリス触媒１２の全体が活性を呈する状態になり易い。よって、エミッション性能の悪化が避けられる。
【００５１】
また、上述の如くケース１１の流入口部１３の中心Ｃｉをモノリス触媒１２の軸心Ｃｃに対して下方にオフセットさせたことにより、ケース１１の上流側カバー１１ｂは、その下半周側に比べて上半周側のコーン壁の、流入口部１３からケース本体１１ａに至る距離が長くなっている。従って、この上半周側のコーン壁に対する温度センサ１７のレイアウトが容易になる。
【００５２】
図５は別の実施形態を示す。図２に示す実施形態では触媒コンバータ３の流入口部１３と流出口部１４がモノリス触媒１２を挟んで相対しているが、図５では流入口部１３と流出口部１４が相対しない構造になっている。
【００５３】
まず、ケース１１の上流側カバー１１ｂは、図２に示す実施形態と同じく、モノリス触媒１２の上流側の端面に相対して排気ガスをモノリス触媒１２に向かって略水平に流入させる流入口部１３を備えている。流入口部１３の中心Ｃｉはモノリス触媒１２の軸心Ｃｃに対して下方にオフセットしている。そのオフセット量Ｄ１はモノリス触媒１２の半径の１／４以上１／２以下であることが好ましい。そして、この流入口部１３から湾曲して立ち上がった上流側の管部に上流側排気管又は排気ターボ過給機のタービンハウジングが結合されている。
【００５４】
一方、ケース１１の下流側カバー１１ｃは、モノリス触媒１２を収容するケース本体１１ａから斜め下方に延びており、その先端にモノリス触媒１２の下流側から排気ガスを斜め下方に流出させる流出口部１４が下向きに開口している。そして、この流出口部１４に連結管７によって粒子状物質処理装置（図示省略）が接続されている。
【００５５】
図５に示す実施形態においても、ケース１１の流出口部１４はモノリス触媒１２の下流側から排気ガスを斜め下方に流出させるから、流入口部１３から流入する排気ガスの主流はモノリス触媒１２の軸心付近から下部にわたる部分を通ることになる。
【００５６】
よって、エンジンの中負荷・高負荷運転時には、モノリス触媒１２の下部側は排気ガスの主流によって加熱され、上部側は熱気の上昇によって加熱されるため、排気ガスが保有する限られた熱量がモノリス触媒１２全体の昇温および温度維持に効率的に利用されることになる。
【００５７】
また、エンジンの運転状態が低負荷運転や燃料カット運転に移行したときは、モノリス触媒１２の下部側は低温の排気ガスで冷やされるものの、先に熱気の上昇によって温度が高くなっているモノリス触媒１２の上部側では熱が保有され、温度の低下が少なくなる。そのため、その後に高温の排気ガスがモノリス触媒１２に流入したときには、モノリス触媒１２の上部によって奪われる熱量が少ないから、モノリス触媒１２全体が速やかに活性温度まで上昇することになる。
【符号の説明】
【００５８】
１    エンジン本体
２    排気ターボ過給機
３    触媒コンバータ
４    粒子状物質処理装置
５    ＥＧＲクーラ
６    ＥＧＲバルブ
７    連結管
１１    ケース
１２    モノリス触媒
１３    流入口部
１４    流出口部
１５    タービンハウジング
１６    排気ガス出口部
１９    フィルタ
【手続補正２】
【補正対象書類名】特許請求の範囲
【補正対象項目名】全文
【補正方法】変更
【補正の内容】
【特許請求の範囲】
【請求項１】
排気ガス浄化用の触媒コンバータを備えたエンジンの排気装置において、
さらに、上記触媒コンバータから流出する排気ガス中の粒子状物質を捕集するフィルタを有する粒子状物質処理装置を備え、
上記触媒コンバータがエンジン本体の側面に沿って配置され、
上記粒子状物質処理装置が上記触媒コンバータの下側において該触媒コンバータおよび上記エンジン本体に沿うように配置され、
さらに、吸気系に還流させる排気ガスを冷却するＥＧＲクーラと、吸気系への排気ガス還流量を調節するＥＧＲバルブとを備え、
上記粒子状物質処理装置の下流側に、排気ガスをＥＧＲクーラに導くＥＧＲ用の排気ガス取出口が開口し、
上記ＥＧＲバルブは、上記ＥＧＲクーラのＥＧＲ用ガスの流出口側に接続されて、上記粒子状物質処理装置の上記エンジン本体側の端部よりも上記エンジン本体の側面から離れた位置に設けられていることを特徴とするエンジンの排気装置。
【請求項２】
請求項１において、
上記触媒コンバータは、軸心が横にされた排気ガス浄化用の触媒と、該触媒に排気ガスを流入させる、口径が該触媒の直径よりも小さい流入口部とを備え、
上記エンジン本体の側面視において、上記流入口部と上記触媒の上流側の端面が横方向に相対し、且つ該流入口部の中心が該触媒の軸心に対して下方に偏倚していることを特徴とするエンジンの排気装置。
【請求項３】
請求項１又は請求項２において、
上記触媒コンバータの排気ガスの流出口部は、上記触媒の下流側から排気ガスが斜め下方に流出するように設けられ、又は上記触媒の下流側の端面に相対し、且つ該流出口部の中心が該触媒の軸心に対して下方に偏倚していて、排気ガスが上記触媒の下流側から横方向に流出するように設けられていることを特徴とするエンジンの排気装置。
【請求項４】
請求項１乃至請求項３のいずれか一において、
上記ＥＧＲクーラは、一連に接続したＥＧＲ用のガス導入部、クーラ本体部およびＥＧＲ用のガス流出部を備え、上記ガス導入部が上記粒子状物質処理装置のＥＧＲ用の排気ガス取出口に接続されていることを特徴とするエンジンの排気装置。
【請求項５】
請求項１乃至請求項４のいずれか一において、
上記ＥＧＲバルブは上記ＥＧＲクーラのＥＧＲ用ガスの流出口に直結されていることを特徴とするエンジンの排気装置。